(57)【特許請求の範囲】
【請求項１】
給電点で給電されるアンテナエレメント部と、
前記給電点のグランドに接続されたグランドエレメント部と、を備え、
前記アンテナエレメント部は、
前記給電点に接続されるポールエレメントと、
前記ポールエレメントの先端に接続されるＬ字型の折り返しエレメントと、
前記ポールエレメントに接続されるＬ字型の追加エレメントと、を備え、
前記給電点から前記追加エレメントの先端までの長さは、第１の周波数で共振する第１の長さであり、
前記ポールエレメントと前記折り返しエレメントとを合わせた長さは、前記第１の周波数よりも小さい第２の周波数で共振する第２の長さであり、
前記追加エレメントにおいて前記給電点から前記追加エレメントの先端に向かう電流の向きは、前記ポールエレメントにおいて前記給電点から前記ポールエレメントの先端に向かう電流の向きと同じであり、
前記給電点から前記追加エレメントの先端までが前記第１の周波数で共振し、前記ポールエレメントと前記折り返しエレメントとが前記第２の周波数で共振するマルチバンドアンテナ。
【請求項２】
前記追加エレメントは、前記ポールエレメントに平行な第１のエレメントと、前記ポールエレメントに垂直な第２のエレメントと、を備え、
前記第１のエレメントの長さの調整により、前記第１の周波数の共振の深さが調整され、
前記給電点からの前記追加エレメント及び前記ポールエレメントの接続点までの長さの調整により、前記第１の周波数が調整されている請求項１に記載のマルチバンドアンテナ。
【請求項３】
前記グランドエレメント部は、矩形のグランドエレメントを備える請求項１又は２に記載のマルチバンドアンテナ。
【請求項４】
前記グランドエレメントは、前記第１の周波数で共振する長さの辺と、前記第２の周波数で共振する長さの辺と、を有する請求項３に記載のマルチバンドアンテナ。
【請求項５】
前記グランドエレメント部は、前記グランドエレメントに接続され、当該グランドエレメントの周囲部分に対向する位置に配置されたスパイラルエレメントを備える請求項３に記載のマルチバンドアンテナ。
【請求項６】
前記追加エレメントの先端から、前記ポールエレメント、前記給電点、前記グランドエレメントを介した前記スパイラルエレメントの先端までの長さが、前記第１の周波数及び前記第２の周波数に共振する長さである請求項５に記載のマルチバンドアンテナ。
【請求項７】
前記グランドエレメント部は、前記グランドエレメントに接続され、当該グランドエレメントに対向する位置に配置されたグランドアンテナエレメント部を備え、
前記グランドアンテナエレメント部は、前記アンテナエレメント部と同じ形状を有し且つ前記アンテナエレメント部の延在方向と垂直な延在方向を有する請求項３に記載のマルチバンドアンテナ。
【請求項８】
請求項１から７のいずれか一項に記載のマルチバンドアンテナと、
前記マルチバンドアンテナを介して外部機器と無線通信する無線通信部と、
前記無線通信部を制御する制御部と、
を備える電子機器。
【発明の詳細な説明】
【技術分野】
【０００１】
本発明は、マルチバンドアンテナ及び電子機器に関する。
【背景技術】
【０００２】
従来、無線通信機能を有するハンディターミナル、ＰＤＡ（Personal Digital Assistant）等の携帯機器が知られている。この携帯機器に搭載される無線通信用のアンテナとして、複数の共振周波数を有するマルチバンドアンテナが知られている。
【０００３】
また、マルチバンドアンテナとして、２つの共振周波数を有する平行２線アンテナが知られている（例えば、特許文献１参照）。平行２線アンテナは、同じ長さの２つの放射導体を折り返した形状で近接配置することで２つの共振周波数を持つことができる。
【０００４】
また、平行２線アンテナよりも構造が簡単なモノポールアンテナをマルチバンドアンテナとして用いる構成が知られている。モノポールアンテナは、半波長ダイポールアンテナの２つのアンテナエレメントの片側をグランドにした構成を有する。
【０００５】
図２６に、従来のモノポールアンテナ８０の構成を示す。図２６に示すように、モノポールアンテナ８０は、アンテナエレメント８１と、グランド部８２と、を備える。アンテナエレメント８１とグランド部８２との間に給電点Ｐが配置されている。アンテナエレメント８１は、（１／４）λ０（λ０：所定の周波数の波長）の長さを有し、λ０に対応する周波数ｆ０と、その３倍の周波数３ｆ０で共振する。このため、モノポールアンテナは、周波数ｆ０，３ｆ０の２つで共振するマルチバンドアンテナとして機能する。
【０００６】
また、１本のアンテナエレメントの先端を折り返した折り返し構造のモノポールアンテナが知られている（例えば、特許文献２参照）。この折り返し構造のモノポールアンテナは、折り返し部分の相互作用により、周波数ｆ０より高い周波数と、周波数３ｆ０より小さい周波数とで共振する。
【０００７】
また、携帯機器の無線通信方式として、無線ＬＡＮ方式が知られている。無線ＬＡＮ方式の規格は、周波数帯が２．４ＧＨｚ帯の８０２．１１ｂ／ｇと、周波数帯が５ＧＨｚ帯の８０２．１１ａと、がある。
【先行技術文献】
【特許文献】
【０００８】
【特許文献１】特開２００９−１２４３５５号公報
【特許文献２】特開２００１−２２３５１９号公報
【発明の概要】
【発明が解決しようとする課題】
【０００９】
しかし、従来の折り返し構造のモノポールアンテナは、無線ＬＡＮ通信の２つの周波数帯で共振するマルチバンドアンテナに適用できなかった。具体的には、折り返し構造のモノポールアンテナにおいて、周波数ｆ０に対応する共振周波数を２．４５［ＧＨｚ］に合わせるようにアンテナエレメントの長さを調整すると、周波数３ｆ０に対応する共振周波数が７．３８［ＧＨｚ］付近となった。
【００１０】
８０２．１１ｂ／ｇの２．４ＧＨｚ帯の必要周波数帯は、２．４〜２．５［ＧＨｚ］である。また、８０２．１１ａの５ＧＨｚ帯の必要周波数帯は、５．１８〜５．７［ＧＨｚ］である。このため、折り返し構造のモノポールアンテナでは、当該モノポールアンテナを筐体へ組み込んだときの周波数のずれを考慮しても、無線ＬＡＮ通信の２つの必要周波数帯を満たす共振周波数が得られなかった。
【００１１】
本発明の課題は、折り返し構造のマルチバンドアンテナにおいて、任意の２つの周波数帯で共振することである。
【課題を解決するための手段】
【００１２】
上記課題を解決するために、請求項１に記載の発明のマルチバンドアンテナは、
給電点で給電されるアンテナエレメント部と、
前記給電点のグランドに接続されたグランドエレメント部と、を備え、
前記アンテナエレメント部は、
前記給電点に接続されるポールエレメントと、
前記ポールエレメントの先端に接続されるＬ字型の折り返しエレメントと、
前記ポールエレメントに接続されるＬ字型の追加エレメントと、を備え、
前記給電点から前記追加エレメントの先端までの長さは、第１の周波数で共振する第１の長さであり、
前記ポールエレメントと前記折り返しエレメントとを合わせた長さは、前記第１の周波数よりも小さい第２の周波数で共振する第２の長さであり、
前記追加エレメントにおいて前記給電点から前記追加エレメントの先端に向かう電流の向きは、前記ポールエレメントにおいて前記給電点から前記ポールエレメントの先端に向かう電流の向きと同じであり、
前記給電点から前記追加エレメントの先端までが前記第１の周波数で共振し、前記ポールエレメントと前記折り返しエレメントとが前記第２の周波数で共振する。
【００１３】
請求項２に記載の発明は、請求項１に記載のマルチバンドアンテナにおいて、
前記追加エレメントは、前記ポールエレメントに平行な第１のエレメントと、前記ポールエレメントに垂直な第２のエレメントと、を備え、
前記第１のエレメントの長さの調整により、前記第１の周波数の共振の深さが調整され、
前記給電点からの前記追加エレメント及び前記ポールエレメントの接続点までの長さの調整により、前記第１の周波数が調整されている。
【００１４】
請求項３に記載の発明は、請求項１又は２に記載のマルチバンドアンテナにおいて、
前記グランドエレメント部は、矩形のグランドエレメントを備える。
【００１５】
請求項４に記載の発明は、請求項３に記載のマルチバンドアンテナにおいて、
前記グランドエレメントは、前記第１の周波数で共振する長さの辺と、前記第２の周波数で共振する長さの辺と、を有する。
【００１６】
請求項５に記載の発明は、請求項３に記載のマルチバンドアンテナにおいて、
前記グランドエレメント部は、前記グランドエレメントに接続され、当該グランドエレメントの周囲部分に対向する位置に配置されたスパイラルエレメントを備える。
【００１７】
請求項６に記載の発明は、請求項５に記載のマルチバンドアンテナにおいて、
前記追加エレメントの先端から、前記ポールエレメント、前記給電点、前記グランドエレメントを介した前記スパイラルエレメントの先端までの長さが、前記第１の周波数及び前記第２の周波数に共振する長さである。
【００１８】
請求項７に記載の発明は、請求項３に記載のマルチバンドアンテナにおいて、
前記グランドエレメント部は、前記グランドエレメントに接続され、当該グランドエレメントに対向する位置に配置されたグランドアンテナエレメント部を備え、
前記グランドアンテナエレメント部は、前記アンテナエレメント部と同じ形状を有し且つ前記アンテナエレメント部の延在方向と垂直な延在方向を有する。
【００１９】
請求項８に記載の発明の電子機器は、
請求項１から７のいずれか一項に記載のマルチバンドアンテナと、
前記マルチバンドアンテナを介して外部機器と無線通信する無線通信部と、
前記無線通信部を制御する制御部と、
を備える。
【発明の効果】
【００２０】
本発明によれば、折り返し構造のマルチバンドアンテナにおいて、任意の２つの周波数帯で共振できる。
【図面の簡単な説明】
【００２１】
【図１】（ａ）は、本発明の実施の形態のハンディターミナルの正面図である。（ｂ）は、ハンディターミナルの側面図である。（ｃ）は、ハンディターミナルの背面図である。
【図２】ケースを外した状態のハンディターミナルの背面図である。
【図３】ハンディターミナルの機能構成を示すブロック図である。
【図４】実施の形態のマルチバンドアンテナの平面図である。
【図５】実施の形態のマルチバンドアンテナの斜視図である。
【図６】実施の形態のマルチバンドアンテナと同軸ケーブルとの接続構成を示す図である。
【図７】マルチバンドアンテナの断面構成を示す図である。
【図８】実施の形態のマルチバンドアンテナの各部の長さを示す図である。
【図９】第１のパラメータを変化させた場合の実施の形態のマルチバンドアンテナ単体の周波数に対するＳパラメータを示す図である。
【図１０】第２のパラメータを変化させた場合の実施の形態のマルチバンドアンテナ単体の周波数に対するＳパラメータを示す図である。
【図１１】実施の形態のマルチバンドアンテナ単体の周波数に対するＶＳＷＲ（Voltage Standing Wave Ratio）を示す。
【図１２】実施の形態の筐体取り付け状態でのマルチバンドアンテナの周波数に対するＶＳＷＲを示す図である。
【図１３】（ａ）は、実施の形態の筐体取り付け状態で第１のパラメータを１４．７［ｍｍ］としたマルチバンドアンテナの周波数に対するＶＳＷＲを示す図である。（ｂ）は、実施の形態の筐体取り付け状態で第１のパラメータを１５．７［ｍｍ］としたマルチバンドアンテナの周波数に対するＶＳＷＲを示す図である。
【図１４】（ａ）は、実施の形態の筐体取り付け状態で第１のパラメータを１６．７［ｍｍ］としたマルチバンドアンテナの周波数に対するＶＳＷＲを示す図である。（ｂ）は、実施の形態の筐体取り付け状態で第１のパラメータを１７．７［ｍｍ］としたマルチバンドアンテナの周波数に対するＶＳＷＲを示す図である。
【図１５】実施の形態のハンディターミナルを手に持った状態のマルチバンドアンテナの周波数に対するＶＳＷＲを示す図である。
【図１６】（ａ）は、第１の変形例のマルチバンドアンテナの正面図である。（ｂ）は、第１の変形例のマルチバンドアンテナの背面図である。
【図１７】第１の変形例のマルチバンドアンテナの斜視図である。
【図１８】５［ＧＨｚ］の共振状態での第１の変形例のマルチバンドアンテナの電流の流れの分布を示す図である。
【図１９】５［ＧＨｚ］の共振状態での第１の変形例のマルチバンドアンテナの直線上の電流の流れの分布を示す図である。
【図２０】２．５［ＧＨｚ］の共振状態での第１の変形例のマルチバンドアンテナの電流の流れの分布を示す図である。
【図２１】２．５［ＧＨｚ］の共振状態での第１の変形例のマルチバンドアンテナの直線上の電流の流れの分布を示す図である。
【図２２】（ａ）は、２．５ＧＨｚ帯の周波数での第１の変形例のマルチバンドアンテナの電流量の分布を示す図である。（ｂ）は、５ＧＨｚ帯の周波数での第１の変形例のマルチバンドアンテナの電流量の分布を示す図である。
【図２３】第１の変形例の筐体取り付け状態のマルチバンドアンテナの周波数に対するＶＳＷＲを示す図である。
【図２４】（ａ）は、第２の変形例のマルチバンドアンテナの正面図である。（ｂ）は、第２の変形例のマルチバンドアンテナの背面図である。
【図２５】第２の変形例のマルチバンドアンテナの斜視図である。
【図２６】従来のモノポールアンテナの構成を示す図である。
【発明を実施するための形態】
【００２２】
以下、添付図面を参照して本発明に係る好適な実施の形態、その第１、第２の変形例を順に詳細に説明する。なお、本発明は、図示例に限定されるものではない。
【００２３】
（実施の形態）
図１〜図１５を参照して本発明に係る実施の形態を説明する。先ず、図１〜図３を参照して本実施の形態のハンディターミナル１の装置構成を説明する。図１（ａ）に、本実施の形態のハンディターミナル１の正面構成を示す。図１（ｂ）に、ハンディターミナル１の側面構成を示す。図１（ｃ）に、ハンディターミナル１の背面構成を示す。図２に、ケース２Ｂを外した状態のハンディターミナル１の背面構成を示す。図３に、ハンディターミナル１の機能構成を示す。
【００２４】
本実施の形態の電子機器としてのハンディターミナル１は、ユーザ操作による情報の入力、情報の記憶、バーコードのスキャン等の機能を有する携帯機器である。また、ハンディターミナル１は、無線ＬＡＮ（Local Area Network）方式によりアクセスポイントを介して外部機器と通信を行う機能を有する。
【００２５】
図１（ａ）に示すように、ハンディターミナル１は、正面側のケース２Ａに、表示部１４、各種キー１２Ａ等を備える。また、ハンディターミナル１は、ケース２Ａの先端にスキャナ部１９を備える。また、ハンディターミナル１は、図１（ｂ）、図１（ｃ）に示すように、背面側のケース２Ｂの両側面に、トリガキー１２Ｂを備える。また、ハンディターミナル１は、ケース２Ａ，２Ｂの内部に、マルチバンドアンテナ３０を備える。
【００２６】
各種キー１２Ａは、数字等の文字入力キー、各種機能キー、スキャナ部１９の光照射及びバーコードスキャンのトリガ操作入力を受け付けるトリガキー等である。トリガキー１２Ｂは、各種キー１２Ａのトリガキーと同様に、スキャナ部１９のトリガキーである。スキャナ部１９は、レーザ光等の光をバーコードに照射し、その反射光を受光及び二値化することにより、バーコードのデータを読み取る部品である。
【００２７】
図２に示すように、ハンディターミナル１は、回路基板３を内蔵する。マルチバンドアンテナ３０は、回路基板３上に設けられた無線ＬＡＮ通信用モジュールに、同軸ケーブル７０を介して接続されている。マルチバンドアンテナ３０は、無線ＬＡＮ通信の規格の８０２．１１ｂ／ｇの２．４ＧＨｚ帯と、８０２．１１ａの５ＧＨｚ帯と、の両方の周波数帯で通信が可能なマルチバンドアンテナである。
【００２８】
図３に示すように、ハンディターミナル１は、ＣＰＵ（Central Processing Unit）１１と、操作部１２と、ＲＡＭ（Random Access Memory）１３と、表示部１４と、ＲＯＭ（Read Only Memory）１５と、マルチバンドアンテナ３０と、無線通信部１６と、フラッシュメモリ１７と、Ｉ／Ｆ（InterFace）部１８と、スキャナ部１９と、電源部２０と、を備える。ＣＰＵ１１、操作部１２、ＲＡＭ１３、表示部１４、ＲＯＭ１５、無線通信部１６、フラッシュメモリ１７、Ｉ／Ｆ部１８、スキャナ部１９は、バス２１を介して接続されている。
【００２９】
ＣＰＵ１１は、ハンディターミナル１の各部を制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００３０】
ＣＰＵ１１は、各種プログラムとの協働により、操作部１２を介する操作情報の入力を受け付け、ＲＯＭ１５から各種情報を読み出し、フラッシュメモリ１７に各種情報の読み書きを行う。また、ＣＰＵ１１は、無線通信部１６及びマルチバンドアンテナ３０により、無線ＬＡＮ方式でアクセスポイントを介して外部機器と通信を行い、スキャナ部１９によりバーコードのデータを読み取り、Ｉ／Ｆ部１８を介して外部機器と有線通信を行う。
【００３１】
操作部１２は、各種キー１２Ａ、トリガキー１２Ｂを含み、操作者から押下入力された各キーの操作信号をＣＰＵ１１に出力する。また、操作部１２は、表示部１４と一体的に設けられたタッチパネルのタッチパッドを含む構成としてもよい。
【００３２】
ＲＡＭ１３は、情報を一時的に格納する揮発性のメモリであり、実行される各種プログラムやこれら各種プログラムに係るデータ等を格納するワークエリアを有する。表示部１４は、ＬＣＤ（Liquid Crystal Display）、ＥＬＤ（ElectroLuminescent Display）等で構成され、ＣＰＵ１１からの表示信号に従って各種表示を行う。
【００３３】
ＲＯＭ１５は、各種プログラム、各種データが読み出し専用に記憶される半導体メモリである。
【００３４】
無線通信部１６は、マルチバンドアンテナ３０と接続され、マルチバンドアンテナ３０を介して無線ＬＡＮ通信方式によりアクセスポイントと情報の送受信を行う。無線通信部１６は、変調部、復調部、信号処理部等を有する。アクセスポイントは、外部機器とハンディターミナル１との間の通信の中継を行う。つまり、ハンディターミナル１は、無線通信部１６及びマルチバンドアンテナ３０により、アクセスポイントに接続された外部機器と通信を行うことができる。
【００３５】
フラッシュメモリ１７は、各種データ等の情報が読み出し及び書き込み可能な半導体メモリである。
【００３６】
Ｉ／Ｆ部１８は、通信ケーブルを介して外部機器と有線接続され、この外部機器と情報を送受信する有線通信部である。
【００３７】
スキャナ部１９は、レーザ光等の発光部、受光部、ゲイン回路、二値化回路等を備える。スキャナ部１９において、発光部から出射された光がバーコードに照射され、その反射光が受光部により受光されて電気信号に変換され、その電気信号がゲイン回路により増幅され、二値化回路により白黒のバーコードイメージのデータに変換される。このように、スキャナ部１９は、バーコードイメージを読み取り、そのバーコードイメージのデータをＣＰＵ１１に出力する。
【００３８】
電源部２０は、２次電池等で構成され、ハンディターミナル１の各部に電源供給を行う。
【００３９】
次いで、図４〜図７を参照して、マルチバンドアンテナ３０の装置構成を説明する。図４に、マルチバンドアンテナ３０の平面構成を示す。図５に、マルチバンドアンテナ３０の斜視構成を示す。図６に、マルチバンドアンテナ３０と同軸ケーブル７０との接続構成を示す。図７に、マルチバンドアンテナ３０の断面構成を示す。
【００４０】
図４及び図５に示すように、マルチバンドアンテナ３０は、導体部４０と、フィルム部５０Ａ，５０Ｂと、を備える。但し、図５において、フィルム部５０Ａ，５０Ｂは省略されている。平面状の導体部４０の上側にフィルム部５０Ａが貼られ、導体部４０の下側にフィルム部５０Ｂが貼られている。フィルム部５０Ａ，５０Ｂは、ＦＰＣ（Flexible Print Circuit）のフィルムであり、ポリイミド等の絶縁体により構成されている。
【００４１】
導体部４０は、銅箔等の金属の導体からなる。導体部４０は、アンテナエレメント部４１と、グランドエレメント部４２と、を有する。
【００４２】
アンテナエレメント部４１は、ポールエレメント４１１と、折り返しエレメント４１２と、追加エレメント４１３と、を有する。ポールエレメント４１１は、直線で帯状のアンテナエレメントであり、グランドエレメント部４２の上辺に所定距離離間して垂直方向に配置されている。
【００４３】
折り返しエレメント４１２は、Ｌ字型で帯状のアンテナエレメントであり、ポールエレメント４１１の先端に接続されている。折り返しエレメント４１２の接続部分は、ポールエレメント４１１の延在方向と垂直に配置されている。折り返しエレメント４１２により、ポールエレメント４１１が１８０度折り返されている。また、折り返しエレメント４１２の先端は、その延在方向に対しほぼ４５°の切れ込みが入れられている。
【００４４】
追加エレメント４１３は、Ｌ字型で帯状のアンテナエレメントであり、ポールエレメント４１１に接続されている。追加エレメント４１３のうち、ポールエレメント４１１の延在方向に平行に配置された部分を第１のエレメントとしてのエレメント４１３１とし、ポールエレメント４１１の延在方向に垂直に配置された部分を第２のエレメントとしてのエレメント４１３２とする。
【００４５】
グランドエレメント部４２は、グランドエレメント４２１を有する。グランドエレメント４２１は、長方形のエレメントである。
【００４６】
図５に示すように、マルチバンドアンテナ３０は、離間部６０を介して回路基板３に取り付けられている。離間部６０は、スポンジ状等の絶縁体で構成されている。例えば、離間部６０の厚さを５［ｍｍ］にとる。
【００４７】
次いで、図６を参照して、給電点Ｐにおけるマルチバンドアンテナ３０と同軸ケーブル７０との接続を説明する。但し、図６上、フィルム部５０Ａ，５０Ｂが省略されている。
【００４８】
同軸ケーブル７０は、断面（延在方向に垂直な面）の中心から外側へ、銅線等の芯線７１、ポリエチレン等の絶縁体７２、網状の銅線等の外部導体７３、絶縁体としての保護被覆部７４、を順に同心円状に備える。同軸ケーブル７０の一端の芯線７１が、ポールエレメント４１１とハンダ付けにより接続されている。同じ一端の外部導体７３が、グランドエレメント４２１とハンダ付けにより接続されている。この同軸ケーブル７０と、導体部４０との接続部分を給電点Ｐとする。
【００４９】
フィルム部５０Ａには、予め上記ハンダ付け部分に対応する位置に穴部が開けられている。従って、フィルム部５０Ａが貼り付けられた導体部４０に、上記穴部を介して同軸ケーブル７０がハンダ付けされる。また、同軸ケーブル７０の他端は、無線通信部１６（の無線ＬＡＮ通信用モジュール）に接続されている。無線通信部１６（の無線ＬＡＮ通信用モジュール）から同軸ケーブル７０を介して、マルチバンドアンテナ３０の給電点Ｐに高周波電力が給電される。
【００５０】
また、図７に示すように、マルチバンドアンテナ３０の端部において、導体部４０よりもフィルム部５０Ａ，５０Ｂが大きくとられており、その端部のフィルム部５０Ａ，５０Ｂが貼り合わされている。このため、導体部４０が露出することなく、外部部材と導体部４０との接触によるマルチバンドアンテナ３０のアンテナ特性の影響を低減できる。
【００５１】
次に、図８〜図１５を参照して、マルチバンドアンテナ３０の特性を説明する。図８〜図１１を参照して、マルチバンドアンテナ３０単体（ハンディターミナル１の筐体に取り付けていない状態）の特性を説明する。図８に、マルチバンドアンテナ３０の各部の長さを示す。図９に、パラメータＰ１を変化させた場合のマルチバンドアンテナ３０単体の周波数に対するＳパラメータを示す。図１０に、パラメータＰ２を変化させた場合のマルチバンドアンテナ３０単体の周波数に対するＳパラメータを示す。図１１に、マルチバンドアンテナ３０単体の周波数に対するＶＳＷＲを示す。
【００５２】
先ず、図８を参照してマルチバンドアンテナ３０の各部の長さを説明する。図８に示すように、マルチバンドアンテナ３０において、ポールエレメント４１１の延在方向の長さを、長さＬ１とする。また、追加エレメント４１３の長さ（エレメント４１３１，４１３２の長さ）と、ポールエレメント４１１のうち追加エレメント４１３との接続点から給電点Ｐまでの長さとの和を、長さＬ２とする。また、グランドエレメント４２１の長手方向の長さを、長さＬ３とする。また、グランドエレメント４２１の短手方向の長さを、長さＬ４とする。
【００５３】
さらに、エレメント４１３１の延在方向の長さを、パラメータＰ１とする。また、ポールエレメント４１１と追加エレメント４１３との接続点から給電点Ｐまでのポールエレメント４１１の延在方向の長さを、パラメータＰ２とする。
【００５４】
また、長さＬ１を、無線ＬＡＮ通信の２．４ＧＨｚ帯（２．４［ＧＨｚ］〜２．５［ＧＨｚ］）の２．４５［ＧＨｚ］に対応する波長λを用いて、（１／４）λの長さにとっている。モノポールアンテナは、ポールのエレメントの（１／４）λの長さに対応する周波数と、その３倍の周波数とで共振する。このため、ポールエレメント４１１をモノポールアンテナとみたてて、２．４５［ＧＨｚ］で共振させるためである。この共振周波数を第１の共振周波数とする。
【００５５】
しかし、ポールエレメント４１１は、折り返しエレメント４１２が接続されているため、２．４５［ＧＨｚ］よりも小さい周波数で共振する。折り返しエレメント４１２が接続されたポールエレメント４１１では、無線ＬＡＮ通信の５ＧＨｚ帯（５．１８［ＧＨｚ］〜５．７［ＧＨｚ］）で、３倍の共振周波数が得られるように折り返しエレメント４１２の長さ及び形状が調整されている。この共振周波数を第２の共振周波数とする。
【００５６】
また、追加エレメント４１３をポールエレメント４１１に接続し、長さＬ２を、２．４５［ＧＨｚ］に対応する波長λを用いて、（１／４）λの長さにとっている。つまり、マルチバンドアンテナ３０は、第１の共振周波数を有する。このため、マルチバンドアンテナ３０は、無線ＬＡＮ通信の２．４ＧＨｚ帯及び５ＧＨｚ帯の両方で共振周波数が得られる構成となっている。
【００５７】
また、グランドエレメント４２１の長さＬ３を、２．４５［ＧＨｚ］に対応する波長λを用いて、（１／４）λの長さにとっており、グランドエレメント４２１の長さＬ４を、５ＧＨｚ帯の周波数に対応する波長λを用いて、（１／４）λの長さにとっている。このため、マルチバンドアンテナ３０は、無線ＬＡＮ通信の２．４ＧＨｚ帯及び５ＧＨｚ帯の両方でグランドエレメント４２１が共振し、より高いゲインが得られる。
【００５８】
また、マルチバンドアンテナ３０は、ポールエレメント４１１に折り返しエレメント４１２を接続しているので、折り返しエレメント４１２の先端とグランドエレメント４２１との間のコンデンサ成分が増える。このため、マルチバンドアンテナ３０は、第２の共振周波数の帯域が広帯域化したアンテナとなる。
【００５９】
次いで、図９に示すように、パラメータＰ１を変化させてマルチバンドアンテナ３０単体の周波数に対するＳパラメータのシミュレーションを行った。すると、パラメータＰ１に応じて、Ｓパラメータの値（共振の深さ）が変化することが分かった。このため、パラメータＰ１を変化させることにより、マルチバンドアンテナ３０の共振の深さを調整できる。
【００６０】
というのは、パラメータＰ１を変化させることで、ポールエレメント４１１、折り返しエレメント４１２、追加エレメント４１３の重なり部分の長さが変わり、各エレメント間の容量結合及び誘導結合が変化するからである。
【００６１】
次いで、図１０に示すように、パラメータＰ２を変化させてマルチバンドアンテナ３０単体の周波数に対するＳパラメータのシミュレーションを行った。但し、パラメータＰ２を変化させる場合に追加エレメント４１３の長さを固定するので、長さＬ２も変化する。すると、パラメータＰ１に応じて、第１の共振周波数に対応するＳパラメータが変化することが分かった。このため、パラメータＰ２を変化させることにより、マルチバンドアンテナ３０の第１の共振周波数を調整できる。
【００６２】
ここで、マルチバンドアンテナ３０をハンディターミナル１の筐体に取り付けると、第１及び第２の共振周波数がともに低い方へずれる。このことを考慮し、第１の共振周波数が０．５［ＧＨｚ］高くなるようマルチバンドアンテナ３０が調整されているものとする。図１１に示すように、第１の共振周波数が高く調整されたマルチバンドアンテナ３０単体の周波数に対するＶＳＷＲを測定した。図１１において、印▽１〜▽４を記載し、▽１：２．４［ＧＨｚ］、▽２：２．２５［ＧＨｚ］、▽３：５．１８［ＧＨｚ］、▽４：５．７［ＧＨｚ］としており、以下のＶＳＷＲの図においても同様である。図１１では、第１及び第２の共振周波数が高い方にシフトされている。
【００６３】
次いで、図１２〜図１５を参照して、マルチバンドアンテナ３０をハンディターミナル１の筐体に取り付けた状態でのマルチバンドアンテナ３０の特性を説明する。図１２に、筐体取り付け状態でのマルチバンドアンテナ３０の周波数に対するＶＳＷＲを示す。図１３（ａ）に、筐体取り付け状態でパラメータＰ１を１４．７［ｍｍ］としたマルチバンドアンテナ３０の周波数に対するＶＳＷＲを示す。図１３（ｂ）に、筐体取り付け状態でパラメータＰ１を１５．７［ｍｍ］としたマルチバンドアンテナ３０の周波数に対するＶＳＷＲを示す。図１４（ａ）に、筐体取り付け状態でパラメータＰ１を１６．７［ｍｍ］としたマルチバンドアンテナ３０の周波数に対するＶＳＷＲを示す。図１４（ｂ）に、筐体取り付け状態でパラメータＰ１を１７．７［ｍｍ］としたマルチバンドアンテナ３０の周波数に対するＶＳＷＲを示す。図１５に、ハンディターミナル１を手に持った状態のマルチバンドアンテナ３０の周波数に対するＶＳＷＲを示す。
【００６４】
図１２に示すように、図１１で第１の共振周波数が高く調整されたマルチバンドアンテナ３０をハンディターミナル１の筐体に取り付けた状態でのマルチバンドアンテナ３０の周波数に対するＶＳＷＲを測定した。筐体取り付け状態でのマルチバンドアンテナ３０は、２．４ＧＨｚ帯と５ＧＨｚ帯とで共振がとれていることが分かった。
【００６５】
次いで、図１３（ａ）、図１３（ｂ）、図１４（ａ）、図１４（ｂ）に示すように、図１１で第１の共振周波数が高く調整されたマルチバンドアンテナ３０をハンディターミナル１の筐体に取り付けた状態で、パラメータＰ１を１４．７［ｍｍ］、１５．７［ｍｍ］、１６．７［ｍｍ］、１７．７［ｍｍ］に変化させたマルチバンドアンテナ３０の周波数に対するＶＳＷＲを測定した。筐体取り付け状態で、パラメータＰ１を変化させた場合に、マルチバンドアンテナ３０は、第１共振周波数のＶＳＷＲの値（共振の深さ）を調整できた。第１共振周波数のＶＳＷＲの値が２．５以下で最も小さいパラメータＰ１（＝１５．７［ｍｍ］）に調整するのが好ましい。
【００６６】
次いで、図１５に示すように、ハンディターミナル１の筐体取り付け状態で、且つハンディターミナル１の筐体のマルチバンドアンテナ３０搭載部分を操作者が手に持った状態のマルチバンドアンテナ３０の周波数に対するＶＳＷＲを測定した。
【００６７】
すると、図１２における状態に比べて、図１５における手に持った状態のマルチバンドアンテナ３０は、第１及び第２の共振周波数が低い周波数にシフトしている。具体的には、第１の共振周波数は、２．４５［ＧＨｚ］から２．３［ＧＨｚ］にシフトしている。第２の共振周波数は、５．３５［ＧＨｚ］から５．３［ＧＨｚ］にシフトしている。その第１及び第２の共振周波数のシフト量は、５０［ＭＨｚ］と少なく、そこでのＶＳＷＲも２．５以下にあるので、通信性能に問題にならない程度である。なお、マルチバンドアンテナ３０は、折り返しエレメント４１２により、第２の共振周波数が広帯域化したアンテナとなるため、第２の共振周波数がシフトしても、手に持った状態での影響を低減できる。
【００６８】
また、図１２における状態に比べて、図１５における手に持った状態のマルチバンドアンテナ３０は、第２の共振周波数の深さが浅くなっている。具体的には、第２の共振周波数のＶＳＷＲは、１．４５から１．７にシフトしている。その変化後の第２の共振周波数のＶＳＷＲ（共振の深さ）は、通信性能に問題にならない程度の範囲である。通信性能に問題にならない程度のＶＳＷＲとは、２．５以下である。
【００６９】
また、図１２における状態に比べて、図１５における手に持った状態のマルチバンドアンテナ３０は、第２の共振周波数の帯域幅が広がっている。具体的には、第２の共振周波数の帯域幅は、４５０［ＭＨｚ］から６２０［ＭＨｚ］にシフトしている。変化後の第２の共振周波数の帯域幅は、広がるため、通信性能に問題にならない。
【００７０】
以上、本実施の形態によれば、マルチバンドアンテナ３０は、アンテナエレメント部４１と、グランドエレメント部４２と、を備える。アンテナエレメント部４１のポールエレメント４１１は、第１の共振周波数（２．４ＧＨｚ帯の周波数）で共振する（１／４）λの長さを有する。同じく折り返しエレメント４１２は、ポールエレメント４１１とともに第２の共振周波数で共振する（第１の共振周波数の３倍が５ＧＨｚ帯の周波数で共振する）長さを有する。同じく追加エレメント４１３は、給電点Ｐから先端までの長さが第１の共振周波数（２．４ＧＨｚ帯の周波数）で共振する（１／４）λの長さを有する。
【００７１】
このため、折り返し構造のマルチバンドアンテナ３０において、任意の２つの周波数帯（２．４ＧＨｚ帯、５ＧＨｚ帯）で共振できる。また、第２の共振周波数の帯域を広帯域化することができる。
【００７２】
また、追加エレメント４１３は、エレメント４１３１，４１３２を備える。エレメント４１３１の長さのパラメータＰ１を調整することにより、第１の共振周波数の共振の深さを調整できる。また、給電点Ｐから、追加エレメント４１３とポールエレメント４１１との接続点のまでの長さであるパラメータＰ２の調整により、第１の共振周波数を調整できる。
【００７３】
また、グランドエレメント部４２は、矩形のグランドエレメント４２１を備え、グランドエレメント４２１が、第１の共振周波数で共振する（１／４）λの長さの辺と、第２の共振周波数で共振する（１／４）λの長さの辺と、を有する。このため、第１及び第２の共振周波数の電波の放射及び受信時のマルチバンドアンテナ３０のゲインを高めることができる。
【００７４】
また、ハンディターミナル１は、マルチバンドアンテナ３０、無線通信部１６、ＣＰＵ１１等を備える。このため、折り返し構造のマルチバンドアンテナ３０を用いて、任意の２つの周波数帯（２．４ＧＨｚ帯、５ＧＨｚ帯）で無線ＬＡＮ通信を行うことができる。また、ハンディターミナル１のマルチバンドアンテナ３０搭載部分を手に持った状態でも、適切な通信性能を得ることができる。
【００７５】
（第１の変形例）
図１６〜図２３を参照して、上記実施の形態の第１の変形例を説明する。先ず、図１６（ａ）、図１６（ｂ）及び図１７を参照して、本変形例の装置構成を説明する。図１６（ａ）に、本変形例のマルチバンドアンテナ３０ａの正面構成を示す。図１６（ｂ）に、マルチバンドアンテナ３０ａの背面構成を示す。図１７に、マルチバンドアンテナ３０ａの斜視構成を示す。
【００７６】
本変形例の装置構成は、上記実施の形態のハンディターミナル１において、マルチバンドアンテナ３０をマルチバンドアンテナ３０ａに替えた構成を有する。このため、上記実施の形態と同じ部分に同じ符号を付し、マルチバンドアンテナ３０ａの構成を主として説明する。
【００７７】
図１６（ａ）、図１６（ｂ）及び図１７に示すように、マルチバンドアンテナ３０ａは、導体部４０ａと、フィルム部５０Ａａ，５０Ｂａと、を備える。但し、図１７において、フィルム部５０Ａａ，５０Ｂａは省略されている。フィルム部５０Ａａ，５０Ｂａは、上記実施の形態のフィルム部５０Ａ，５０Ｂと同様の装置構成を有し、導体部４０ａに貼り合わされ、導体部４０ａの露出を防いでいる。
【００７８】
導体部４０ａは、銅箔等の金属の導体からなる。導体部４０ａは、アンテナエレメント部４１と、グランドエレメント部４２ａと、を有する。グランドエレメント部４２ａは、グランドエレメント４２１ａと、接続エレメント４２２と、スパイラルエレメント４２３と、を有する。
【００７９】
グランドエレメント４２１ａは、長方形のエレメントである。接続エレメント４２２は、グランドエレメント４２１ａとスパイラルエレメント４２３とを接続する帯状のエレメントである。スパイラルエレメント４２３は、グランドエレメント４２１ａから所定距離離間され、グランドエレメント４２１ａの面と平行に配置された帯状のエレメントである。スパイラルエレメント４２３は、グランドエレメント４２１ａに対向し且つグランドエレメント４２１ａの周囲部分に対応する位置にスパイラル状に延在している。
【００８０】
また、グランドエレメント４２１ａとスパイラルエレメント４２３との間には、離間部６０ａが配置されている。離間部６０ａは、上記実施の形態の離間部６０と同様に、スポンジ状等の絶縁体で構成されている。
【００８１】
また、図１６（ａ）に示すように、マルチバンドアンテナ３０ａをハンディターミナル１に取り付け、ハンディターミナル１の正面下方を重力方向に向けた状態でのマルチバンドアンテナ３０ａのグランドエレメント４２１ａの上辺に平行な方向を水平方向とする。同じ状態で、マルチバンドアンテナ３０ａのポールエレメント４１１の延在方向に平行な方向を垂直方向とする。
【００８２】
次に、図１８〜図２３を参照して、マルチバンドアンテナ３０ａの特性を説明する。図１８に、５［ＧＨｚ］の共振状態でのマルチバンドアンテナ３０ａの電流の流れの分布を示す。図１９に、５［ＧＨｚ］の共振状態でのマルチバンドアンテナ３０ａの直線上の電流の流れの分布を示す。図２０に、２．５［ＧＨｚ］の共振状態でのマルチバンドアンテナ３０ａの電流の流れの分布を示す。図２１に、２．５［ＧＨｚ］の共振状態でのマルチバンドアンテナ３０ａの直線上の電流の流れの分布を示す。図２２（ａ）に、２．５ＧＨｚ帯の周波数でのマルチバンドアンテナ３０ａの電流量の分布を示す。図２２（ｂ）に、５ＧＨｚ帯の周波数でのマルチバンドアンテナ３０ａの電流量の分布を示す。図２３に、筐体取り付け状態のマルチバンドアンテナ３０ａの周波数に対するＶＳＷＲを示す。
【００８３】
上記実施の形態のマルチバンドアンテナ３０は、逆Ｌアンテナの変形である。逆Ｌアンテナは、水平方向の電流から放射される電波が、アンテナエレメントとグランドエレメントとで逆方向であるため、キャンセルされて弱くなり、垂直方向の電流が放射する電波が主となる。
【００８４】
ハンディターミナル１は、色々な向きで使用されるので、アクセスポイントの偏波と合わない状況も生じる。また、ハンディターミナル１が使用される室内は、棚や壁等、反射の多い環境であるので、偏波に対応するアンテナであると安定して電波を送受信できるようになる。このため、マルチバンドアンテナ３０ａに、接続エレメント４２２、スパイラルエレメント４２３を設けた。
【００８５】
先ず、グランドエレメント部４２ａの各長さについて説明する。図１８に示すように、グランドエレメント４２１ａと接続エレメント４２２との接続点を点ａとする。接続エレメント４２２とスパイラルエレメント４２３との接続点を点ｂとする。そして、スパイラルエレメント４２３において、点ｂから先端の点ｇまでの間の直角部分を順に、点ｃ、点ｄ、点ｅ、点ｆとする。
【００８６】
ここで、２．５［ＧＨｚ］の周波数の波長λをλ１とし、５［ＧＨｚ］の周波数の波長λをλ２とする。２．５［ＧＨｚ］は、無線ＬＡＮ通信の２．４ＧＨｚ帯に含まれている。５［ＧＨｚ］は、無線ＬＡＮ通信の５ＧＨｚ帯の範囲の近傍の値である。
【００８７】
点ａから点ｃまでの長さを（１／４）λ２＝（１／８）λ１にとる。点ｃから点ｄまでの長さを（１／４）λ２＝（１／８）λ１にとる。点ｄから点ｅまでの長さを（１／２）λ２＝（１／４）λ１にとる。点ｅから点ｆまでの長さを（１／４）λ２＝（１／８）λ１にとる。点ｆから点ｇまでの長さを（１／４）λ２＝（１／８）λ１にとる。このようにして、給電点Ｐから、点ａ、点ｂ、点ｃ、点ｄ、点ｅ、点ｆを順に介した点ｇまでの長さを、長さＬ５＝（３／２）λ２＝（３／４）λ１にとる。
【００８８】
マルチバンドアンテナ３０ａで５［ＧＨｚ］の周波数の電波を受信した場合に、図１８に示すような電流の共振及び電流の方向を示す。点ｃから点ｄまでの部分と、点ｅから点ｆまでの部分とで電流の向きが逆向きであるため、垂直偏波が打ち消される。逆に、点ｂから点ｃまでの部分と、点ｅから点ｄまでの部分と、点ｆから点ｇまでの部分とで、電流の向きが同じ向きであるため、水平偏波が強めあう。これにより、５［ＧＨｚ］の周波数の電波を受信する場合に、水平偏波を受信できる。
【００８９】
図１９に示すように、追加エレメント４１３の先端から、ポールエレメント４１１、給電点Ｐ（、グランドエレメント４２１ａ）、接続エレメント４２２、スパイラルエレメント４２３を直線状にすると、その直線上で５［ＧＨｚ］の周波数の電流で共振されることが分かる。
【００９０】
また、マルチバンドアンテナ３０ａで２．５［ＧＨｚ］の周波数の電波を受信した場合に、図２０に示すような電流の共振及び電流の方向を示す。点ｃから点ｄまでの部分と、点ｅから点ｆまでの部分とで電流の向きが同じ向きであるため、垂直偏波が強めあう。逆に、点ｂから点ｃまでの部分と、点ｅから点ｄまでの部分と、点ｆから点ｇまでの部分とで、電流の向きが同じ又は逆の向きであるため、水平偏波が少し強めあう。これにより、２．５［ＧＨｚ］の周波数の電波を受信する場合に、水平偏波を受信できる。
【００９１】
図２１に示すように、追加エレメント４１３の先端から、ポールエレメント４１１、給電点Ｐ（、グランドエレメント４２１ａ）、接続エレメント４２２、スパイラルエレメント４２３を直線状にすると、その直線上で２．５［ＧＨｚ］の周波数の電流で共振されることが分かる。
【００９２】
次いで、図２２（ａ）に示すように、２．４ＧＨｚ帯の周波数の電波受信時のマルチバンドアンテナ３０ａの電流量の分布のシミュレーションを行った。図２２（ａ）では、電流量が大きくなるほど白く表されており、電流量が小さくなるほど黒く表されており、以下の電流量の分布の図でも同様である。図２２（ａ）によると、２．４ＧＨｚ帯の周波数の電波受信時に、接続エレメント４２２、スパイラルエレメント４２３に電流が流れていることが確認できる。
【００９３】
図２２（ｂ）に示すように、５ＧＨｚ帯の周波数の電波受信時のマルチバンドアンテナ３０ａの電流量の分布のシミュレーションを行った。図２２（ｂ）によると、５ＧＨｚ帯の周波数の電波受信時に、接続エレメント４２２、スパイラルエレメント４２３に電流が流れていることが確認できる。
【００９４】
次いで、図２３に示すように、マルチバンドアンテナ３０ａをハンディターミナル１の筐体に取り付けた状態での周波数に対するＶＳＷＲを測定した。マルチバンドアンテナ３０ａは、無線ＬＡＮ通信の２．４ＧＨｚ帯と５ＧＨｚ帯とで十分低いＶＳＷＲがとれており、共振がとれていることが分かる。
【００９５】
以上、本変形例によれば、グランドエレメント部４２ａは、グランドエレメントに接続され、当該グランドエレメントの周囲に対向する位置に配置されたスパイラルエレメント４２３を備える。また、追加エレメント４１３の先端から、ポールエレメント４１１、給電点Ｐ、グランドエレメント４２１ａ、接続エレメント４２２を順に介したスパイラルエレメント４２３の先端までの長さが、第１及び第２の周波数に共振する長さである。このため、第１及び第２の共振周波数において、アンテナエレメント部４１の主たる偏波方向と垂直な水平方向の偏波の電波の放射及び受信をすることができ、電波の放射及び受信を安定して行うことができる。
【００９６】
（第２の変形例）
図２４〜図２５を参照して、上記実施の形態の第２の変形例を説明する。先ず、図２４（ａ）、図２４（ｂ）及び図２５を参照して、本変形例の装置構成を説明する。図２４（ａ）に、本変形例のマルチバンドアンテナ３０ｂの正面構成を示す。図２４（ｂ）に、マルチバンドアンテナ３０ｂの背面構成を示す。図２５に、マルチバンドアンテナ３０ｂの斜視構成を示す。
【００９７】
本変形例の装置構成は、上記実施の形態のハンディターミナル１において、マルチバンドアンテナ３０をマルチバンドアンテナ３０ｂに替えた構成を有する。このため、上記実施の形態と同じ部分に同じ符号を付し、マルチバンドアンテナ３０ｂの構成を主として説明する。
【００９８】
図２４（ａ）、図２４（ｂ）及び図２５に示すように、マルチバンドアンテナ３０ｂは、導体部４０ｂと、フィルム部５０Ａｂ，５０Ｂｂと、を備える。但し、図２５において、フィルム部５０Ａｂ，５０Ｂｂは省略されている。フィルム部５０Ａｂ，５０Ｂｂは、上記実施の形態のフィルム部５０Ａ，５０Ｂと同様の装置構成を有し、導体部４０ｂに貼り合わされ、導体部４０ｂの露出を防いでいる。
【００９９】
導体部４０ｂは、銅箔等の金属の導体からなる。導体部４０ｂは、アンテナエレメント部４１と、グランドエレメント部４２ｂと、を有する。グランドエレメント部４２ｂは、グランドエレメント４２１ｂと、接続エレメント４２４と、グランドアンテナエレメント部４２５と、を有する。
【０１００】
グランドエレメント４２１ｂは、長方形のエレメントであり、上記実施の形態のグランドエレメント４２１と同様の形状を有する。接続エレメント４２４は、グランドエレメント４２１ｂとグランドアンテナエレメント部４２５とを接続する帯状のエレメントである。
【０１０１】
グランドアンテナエレメント部４２５は、グランドエレメント４２１ｂに対向する位置に配置され、アンテナエレメント部４１と同様の形状を有する。具体的には、グランドアンテナエレメント部４２５は、ポールエレメント４２５１と、折り返しエレメント４２５２と、追加エレメント４２５３と、を有する。ポールエレメント４２５１、折り返しエレメント４２５２、追加エレメント４２５３は、順に、ポールエレメント４１１、折り返しエレメント４１２、追加エレメント４１３と同様である。
【０１０２】
また、グランドエレメント４２１ｂとグランドアンテナエレメント部４２５との間には、離間部６０ｂが配置されている。離間部６０ｂは、上記実施の形態の離間部６０と同様に、スポンジ状等の絶縁体で構成されている。
【０１０３】
次いで、マルチバンドアンテナ３０ａの特性を説明する。上記第１の変形例で説明したように、アンテナエレメント部４１は、主に図２４（ａ）に示す垂直方向の電波（垂直偏波）を受信及び放射する。このため、マルチバンドアンテナ３０ｂに、グランドアンテナエレメント部４２５を設けた。
【０１０４】
アンテナエレメント部４１の延在方向（ポールエレメント４１１の延在方向）は、垂直方向であり、グランドアンテナエレメント部４２５の延在方向（ポールエレメント４２５１の延在方向）は、水平方向である。このため、アンテナエレメント部４１とグランドアンテナエレメント部４２５とは、偏波面が９０度異なる。よって、マルチバンドアンテナ３０ｂは、アンテナエレメント部４１により垂直偏波を受信（放射）でき、グランドアンテナエレメント部４２５により水平偏波を受信（放射）できる。
【０１０５】
以上、本変形例によれば、グランドエレメント部４２ｂは、アンテナエレメント部４１と同じ形状を有し且つアンテナエレメント部４１の延在方向と垂直な延在方向を有するグランドアンテナエレメント部４２５を有する。このため、第１及び第２の共振周波数において、アンテナエレメント部４１の主たる偏波方向と垂直な水平方向の偏波の電波の放射及び受信をすることができ、電波の放射及び受信を安定して行うことができる。
【０１０６】
なお、上記実施の形態及び各変形例における記述は、本発明に係るマルチバンドアンテナ及び電子機器の一例であり、これに限定されるものではない。
【０１０７】
また、上記実施の形態及び各変形例では、無線通信機能を有する電子機器としてハンディターミナルを用いる構成としたが、これに限定されるものではない。無線通信機能を有する電子機器としては、ＰＤＡ（Personal Digital Assistant）、携帯電話機、ＰＨＳ（Personal Handyphone System）端末、ネットブック、電子ブックリーダ等、他の電子機器としてもよい。
【０１０８】
また、上記実施の形態及び各変形例では、マルチバンドアンテナの導体部の両面が２層のフィルム部に貼り合わされている構成としたが、これに限定されるものではない。マルチバンドアンテナの導体部の片面が１層のフィルム部に貼り合わされている構成としてもよい。
【０１０９】
また、上記実施の形態及び各変形例では、マルチバンドアンテナの無線方式として、２つの通信帯域を有する無線ＬＡＮ通信方式としたが、これに限定されるものではない。マルチバンドアンテナの無線方式として、他の通信帯域を有する無線通信方式とする構成としてもよい。
【０１１０】
また、上記各実施の形態及び各変形例におけるマルチバンドアンテナ、ハンディターミナルの各構成要素の細部構成及び細部動作に関しては、本発明の趣旨を逸脱することのない範囲で適宜変更可能であることは勿論である。
【符号の説明】
【０１１１】
１  ハンディターミナル
２Ａ，２Ｂ  ケース
１１  ＣＰＵ
１２  操作部
１２Ａ  各種キー
１２Ｂ  トリガキー
１３  ＲＡＭ
１４  表示部
１５  ＲＯＭ
１６  無線通信部
１７  フラッシュメモリ
１８  Ｉ／Ｆ部
１９  スキャナ部
２０  電源部
２１  バス
３０，３０ａ，３０ｂ  マルチバンドアンテナ
４１  アンテナエレメント部
４１１  ポールエレメント
４１２  折り返しエレメント
４１３  追加エレメント
４１３１，４１３２  エレメント
４２，４２ａ，４２ｂ  グランドエレメント部
４２１，４２１ａ，４２１ｂ  グランドエレメント
４２２，４２４  接続エレメント
４２３  スパイラルエレメント
４２５  グランドアンテナエレメント部
４２５１  ポールエレメント
４２５２  折り返しエレメント
４２５３  追加エレメント
５０Ａ，５０Ｂ，５０Ａａ，５０Ｂａ，５０Ａｂ，５０Ｂｂ  フィルム部
６０，６０ａ，６０ｂ  離間部
７０  同軸ケーブル
７１  芯線
７２  絶縁体
７３  外部導体
７４  保護被覆部
８０  モノポールアンテナ
８１  アンテナエレメント
８２  グランド部
Ｐ  給電点
【図１】
0005287805.tif 000002
【図２】
0005287805.tif 000003
【図３】
0005287805.tif 000004
【図４】
0005287805.tif 000005
【図５】
0005287805.tif 000006
【図６】
0005287805.tif 000007
【図７】
0005287805.tif 000008
【図８】
0005287805.tif 000009
【図９】
0005287805.tif 000010
【図１０】
0005287805.tif 000011
【図１６】
0005287805.tif 000012
【図１７】
0005287805.tif 000013
【図１８】
0005287805.tif 000014
【図１９】
0005287805.tif 000015
【図２０】
0005287805.tif 000016
【図２１】
0005287805.tif 000017
【図２４】
0005287805.tif 000018
【図２５】
0005287805.tif 000019
【図２６】
0005287805.tif 000020
【図１１】
0005287805.tif 000021
【図１２】
0005287805.tif 000022
【図１３】
0005287805.tif 000023
【図１４】
0005287805.tif 000024
【図１５】
0005287805.tif 000025
【図２２】
0005287805.tif 000026
【図２３】
0005287805.tif 000027